(57)【要約】【課題】シートへの紐の取り付け作業が不要であって、温室のフレームへそのまま結い付けることができる温室用合成樹脂シート、これを用いた温室を提供する。【解決手段】  温室用合成樹脂シート１は、所要の大きさの合成樹脂製のシート本体１０と、シート本体１０の長手方向の上縁部に幅方向へ亘り、各々が互いに間隔を空けて配置された複数本の合成樹脂製の紐体１１と、紐体１１の基端部をシート本体１０との間に挟んで固定する帯状の合成樹脂製の接着シート１２とを備える。シート本体１０と紐体１１と接着シート１２は熱溶融性を有し、これらが重なった部分はヒートシールされて熱溶着し、シート本体と紐体と接着シートとが融解して一体となっており、紐体は、シート本体または紐体が千切れない限り、シート本体から紐体が脱落しない程度の強度を有している。【選択図】図１
0003219370.tif 000002
【実用新案登録請求の範囲】
【請求項１】
合成樹脂製のシート本体と、
該シート本体の外縁部近傍に各々が互いに間隔を空けて複数固定され、先端が自由端である紐体とを備え、
該紐体は、互いに近接した２本を一単位としているものである
温室用合成樹脂シート。
【請求項２】
合成樹脂製のシート本体と、
該シート本体の外縁部近傍に各々が互いに間隔を空けて複数固定され、先端が自由端である紐体とを備え、
該紐体は、固定側が１本であって、長さ方向の途中から分岐したものである
温室用合成樹脂シート。
【請求項３】
前記紐体の表面には、同紐体の長手方向と平行となる複数の凸条が形成されて凹凸が横方向に連続する態様、同紐体の長手方向に対して同一方向に斜めの凸条が形成された態様、多数の細かい粒状突起が形成された態様、または、複数のディンプルが形成された態様、の中から選択されたいずれか一種の滑り止め加工が施されている
請求項１または請求項２記載の温室用合成樹脂シート。
【請求項４】
前記紐体は、帯状の接着シートを用いて、前記シート本体との間に挟み込まれて固定されている
請求項１、請求項２または請求項３記載の温室用合成樹脂シート。
【請求項５】
前記紐体が熱溶融性を有する合成樹脂で形成されており、ヒートシール法により同紐体が前記シート本体に接着されたものである
請求項１、請求項２または請求項３記載の温室用合成樹脂シート。
【請求項６】
前記接着シートあるいは前記紐体のいずれか一方または双方が熱溶融性を有する合成樹脂で形成されており、ヒートシール法により同紐体が前記シート本体に接着されたものである
請求項４記載の温室用合成樹脂シート。
【請求項７】
温室のフレームと、
温室のフレームの間の開口部を覆う合成樹脂製のシート本体と、該シート本体の外縁部近傍に各々が互いに間隔を空けて複数固定され、先端が自由端であって、同温室のフレームに結い付けられる紐体とを有し、該紐体の表面には、同紐体の長手方向と平行となる複数の凸条が形成されて凹凸が横方向に連続する態様、同紐体の長手方向に対して同一方向に斜めの凸条が形成された態様、多数の細かい粒状突起が形成された態様、または、複数のディンプルが形成された態様、の中から選択されたいずれか一種の滑り止め加工が施されている、温室用合成樹脂シートとを備える
温室用合成樹脂シートを用いた温室。
【考案の詳細な説明】
【技術分野】
【０００１】
本考案は、温室用合成樹脂シート、および、温室用合成樹脂シートを用いた温室に関する。更に詳しくは、シートへの紐の取り付け作業が不要であって、温室のフレームへそのまま結い付けることができる温室用合成樹脂シート、および、温室用合成樹脂シートを用いた温室に関する。
【背景技術】
【０００２】
従来から、農業用ビニールハウスのような温室を覆う部材として合成樹脂シートが利用されており、この合成樹脂シートは温室のフレームへ着脱可能に取り付けられる。合成樹脂シートをフレームへ取り付けるための手段としては、例えば、断面視Ｃ型のクリップであるパッカーや、紐等が挙げられる。
【０００３】
パッカーは、合成樹脂シートをフレームに当接させ、当接部分を挟み込むようにして嵌め入れて固定するものであるが、あらかじめ、必要数を購入して準備しておく必要があり、しかも、張設作業を行う際には、それら多数のパッカーを持ち運ぶと共に、作業現場において作業がしやすいように、複数を常に携帯しながら作業を行う必要があった。
【０００４】
一方、紐の場合、合成樹脂シートがその縁部にハトメや紐通し部が設けられているものであることが前提となるが、現場で結ぶ場合でもクリップほどは嵩張らず、また、縁部にハトメが設けられた合成樹脂シートへ予め紐を通しておけば（即ち、仮結びをしておけば）、クリップのように持ち運ぶ必要もない。
【０００５】
上記の理由に加えて、農家にとって合成樹脂シートは量を必要とする消耗品であって、ビニールハウス等の温室一棟でも相当の量が必要になり、取り付け器具を含め、価格が安い方が好まれる。更に、農業就業人口の平均年齢は６５歳を超えており、このような高齢者には新規あるいは高機能なもの（例えば、パッカー）よりも、単純で慣れ親しんだ旧来のもの（例えば、紐）の方が好まれる傾向がある。
【０００６】
このような理由から、現在でも、ハトメ付き合成樹脂シートは多くの農家からの支持を受けており、比較的安価である紐との組み合わせで使用されている。なお、ハトメ付き合成樹脂シートの一例としては、下記非特許文献１に記載されているようなものが挙げられる。また、下記非特許文献１に記載されているようなハトメ付き合成樹脂シートを図７に示している。
【先行技術文献】
【非特許文献】
【０００７】
【非特許文献１】織司株式会社のネットショップ  アンマクヤ  屋内外用糸入透明ビニールカーテン  インターネット＜URL：http://www.attackya.co.jp/＞
【考案の概要】
【考案が解決しようとする課題】
【０００８】
しかしながら、上記非特許文献１及び図７に記載されているようなハトメ付き合成樹脂シート９を用いたビニールハウスのフレームへの張設作業は、現場で紐通しを行えば手早さに欠け、事前に行うにしてもハトメ９１へ紐９２を通す作業に手間が掛かることには変わりがない。
【０００９】
従って、温室栽培を行う農作業の現場では、このような紐通しの手間を省くことができ、かつ、安価な合成樹脂シートが求められていた。
【００１０】
本考案は、以上の点を鑑みて創案されたものであり、シートへの紐の取り付け作業が不要であって、温室のフレームへそのまま結い付けることができる温室用合成樹脂シートを提供することを目的とするものであり、併せて、温室用合成樹脂シートを用いた温室を提供することも目的とする。
【課題を解決するための手段】
【００１１】
上記の目的を達成するために本考案の温室用合成樹脂シートは、合成樹脂製のシート本体と、該シート本体の外縁部近傍に各々が互いに間隔を空けて複数固定され、先端が自由端である紐体とを備える。
【００１２】
ここで、合成樹脂製のシート本体は、温室のフレームに取り付けられた際に、温室のフレーム間の空間部を覆って外気を遮断し、温室内部の熱を内部に留保する。
【００１３】
また、紐体は、先端が自由端であるため、温室のフレームに回し掛けて結ぶだけで結い付ける作業が済む。
【００１４】
更に、紐体は、シート本体の外縁部近傍に各々が互いに間隔を空けて複数固定されているため、温室のフレームにバランス良く結い付けることができる。
【００１５】
前記紐体が、互いに近接した２本を一単位としているものである場合は、各々を結べば環状となるので、紐体の２本を異なる側から温室のフレームに回し掛けて結べばよい。
【００１６】
なお、本明細書および本実用新案登録請求の範囲において、「紐体が、互いに近接した２本を一単位としている」態様としては、例えば、２本を距離を置かずに並設したもの、あるいは、略同一の位置に２本を重ねたもの、が挙げられる。
【００１７】
前記紐体が、固定側が１本であって、長さ方向の途中から分岐したものである場合は、分岐した各紐先を結べば環状となるので、紐体の２本を異なる側から温室のフレームに回し掛けて結べばよい。また、固定側が１本であるので、２本を近接して並べるよりも、固定作業が簡便である。
【００１８】
前記紐体が、その表面に滑り止め加工が施されたものである場合は、温室のフレームに紐体を回し掛けて結んだ際に、滑り止め加工された部分が滑り止め効果を奏し、結び目を解けにくくする。
【００１９】
前記紐体は、帯状の接着シートを用いて、前記シート本体との間に挟み込まれて固定されている場合は、接着シートが紐体の一部を前記シート本体との間に挟んで固定し、紐体がシート本体から外れにくくする。また、接着シートが帯状であるので、離れた位置にある紐体を個々に接着するのではなく、一度にまとめて接着することができて、作業効率が良い。
【００２０】
前記紐体が熱溶融性を有する合成樹脂で形成されており、ヒートシール法により同紐体が前記シート本体に接着されたものである場合は、ヒートシール（熱溶着）の効果によって、シート本体に紐体が溶着して溶着部分が一体化し、更に外れにくくなる。
【００２１】
前記接着シートあるいは前記紐体のいずれか一方または双方が熱溶融性を有する合成樹脂で形成されており、ヒートシール法により同紐体が前記シート本体に接着されたものである場合は、ヒートシール（熱溶着）の効果によって、シート本体から紐体が更に外れにくくなる。特に、接着シートと紐体の双方が熱溶融性を有する場合は、溶着部分が一体化して、より外れにくい。
【００２２】
上記の目的を達成するために本考案の温室用合成樹脂シートを用いた温室は、温室のフレームと、温室のフレームの間の開口部を覆う合成樹脂製のシート本体と、該シート本体の外縁部近傍に各々が互いに間隔を空けて複数固定され、先端が自由端であって、同温室のフレームに結い付けられる紐体とを有する温室用合成樹脂シートとを備えるものである。
【００２３】
ここで、温室のフレームは、温室用合成樹脂シートの取り付け対象となる。また、合成樹脂製のシート本体は、温室のフレームに取り付けられた際に、温室のフレーム間の空間部を覆って外気を遮断し、温室内部の熱を内部に留保する。
【００２４】
更に、紐体は、先端が自由端であるため、温室のフレームに回し掛けて結ぶだけで結い付け作業が済む。更にまた、紐体は、シート本体の外縁部近傍に各々が互いに間隔を空けて複数固定されているため、温室のフレームにバランス良く結い付けることができる。
【００２５】
前記紐体が、互いに近接した２本を一単位としているものである場合は、各々を結べば環状となるので、紐体の２本を異なる側から温室のフレームに回し掛けて結べばよい。前記紐体が、固定側が１本であって、長さ方向の途中から分岐したものである場合は、分岐した各紐先を結べば環状となるので、紐体の２本を異なる側から温室のフレームに回し掛けて結べばよい。また、固定側が１本であるので、２本を近接して並べるよりも、固定作業が簡便である。
【考案の効果】
【００２６】
本考案による温室用合成樹脂シートによれば、前処理であるシートへの紐の取り付け作業が不要であって、温室のフレームへそのまま結い付けることができ、利用者の作業負担を軽減すると共に、利便性が良い。また、本考案による温室用合成樹脂シートを用いた温室によれば、温室を組み立てる際に、前処理であるシートへの紐の取り付け作業が不要であって、温室のフレームへそのまま結い付けることができるため、利用者の作業負担を軽減すると共に、利便性が良い。
【図面の簡単な説明】
【００２７】
【図１】本考案に係る温室用合成樹脂シートの一実施の形態を示す一部を省略した平面視説明図である。
【図２】図１に示すＡ−Ａ部の断面図である。
【図３】図１に示す紐体の各種変形例の平面視要部拡大図であり、（ａ−１）は一の変形例を示し、（ａ−２）は（ａ−１）のＢ−Ｂ断面図であり、（ｂ）、（ｃ）、（ｄ）は他の変形例を示している。
【図４】本考案に係る温室用合成樹脂シートの他の実施形態であり、２本の紐体が近接する平面視要部拡大図であり、（ａ）は第２実施形態を示し、（ｂ−１）は一の変形例を示し、（ｂ−２）は（ｂ−１）のＣ−Ｃ方向からの側面図であり、（ｃ）は他の変形例を示している。
【図５】温室用合成樹脂シートの紐体を温室フレームに結い付けた状態を示す斜視図であり、（ａ）は紐体が１本のものを結い付けた状態を示しており、（ｂ）は紐体が２本のものを結い付けた状態を示している。
【図６】温室用合成樹脂シートの紐体の取り付け位置を変更した他の実施形態を示した平面図である。
【図７】従来の温室用合成樹脂シートの使用状態を示した説明図である。
【考案を実施するための形態】
【００２８】
図１ないし図６を参照して、本考案の実施の形態を更に詳細に説明する。なお、各図における符号は、煩雑さを軽減し理解を容易にする範囲内で付している。
【００２９】
〔第１実施形態〕
（温室用合成樹脂シート１）
温室用合成樹脂シート１は、所要の大きさの合成樹脂製のシート本体１０と、シート本体１０の長手方向の上縁部に幅方向（図１で左右方向）へ亘り、各々が互いに間隔を空けて配置された複数本の合成樹脂製の紐体１１と、紐体１１の基端部をシート本体１０との間に挟んで固定する帯状の合成樹脂製の接着シート１２とを備えている（図１参照）。
【００３０】
なお、本実施形態においては、紐体１１は平たい紐であるが、これに限定するものではなく、断面が円形あるいは楕円形のような各種形状のものであってもよい。
【００３１】
また、本実施形態においては、シート本体１０は、水密かつ気密なものであるが、これに限定するものではなく、例えば、シート本体は、合成樹脂の細い紐状体を織って形成されたゴザ状のものや、シートにスリットまたは小孔が形成されたもの等の、通気性や透水性を有する各種形状のものであってもよい。このような通気性や透水性を有するものである場合は、温室内で栽培する植物の種類や気候に応じた温度あるいは湿度の調整が可能となる。また、季節に応じて、シート本体を、水密かつ気密なものと、通気性や透水性を有するものとを、交互に交換して使用することもできる。
【００３２】
シート本体１０と紐体１１と接着シート１２は熱溶融性を有しており、シート本体１０と、紐体１１と、接着シート１２とが重なった部分は、ヒートシール法により溶着している（図２参照）。ヒートシール（熱溶着）の効果によって、シート本体と紐体と接着シートとが融解して一体となっており、紐体は、シート本体または紐体が千切れない限り、シート本体から紐体が脱落しない程度の強度を有している。
【００３３】
本実施形態においては、シート本体１０は、横方向に長い長方形であるが、寸法および形状は適宜変更可能である。なお、図１において、シート本体１０は、縦方向および横方向に長さを省略して記載している。
【００３４】
本実施形態においては、シート本体１０と、紐体１１と、接着シート１２は全て合成樹脂製であるが、これに限定するものではなく、例えば、紐体は麻等の合成樹脂以外の素材により形成されていてもよい。
【００３５】
（温室用合成樹脂シート１の製造方法）
温室用合成樹脂シート１は、ロータリーヒートシール機（図示省略）等を使用して形成する。
具体的には、
（１）シート本体１０の上縁部（図１においてシート本体１０上側）の左右端のいずれかに接着シート１２の端部を溶着し、
（２）シート本体１０の上縁部に幅方向へ亘って、各々が互いに所要の間隔を開けて複数本の紐体１１を配置し（前もって多数を配置しておいてもよいし、接着シートの接着に伴って順次配置してもよい）、
（３）シート本体１０の紐体１１が配置された箇所に、接着シート１２が重なるようにして、紐体１１を挟み、
（４）前記（１）で溶着した部分の方向へシート本体１０が送られるように、ロータリーヒートシール機にセットし、ロータリーヒートシール機によって接着シート１２をシート本体１０へ溶着させ、
（５）溶着した紐体１１の下端（即ち、接着シート１２から図１において下方向へはみ出した無駄な部分）をカットして仕上げる。
【００３６】
（１）〜（５）の工程による温室用合成樹脂シートの製造方法によれば、簡易な方法でありながら、帯状の接着シートで各紐体をシート本体にまとめて接着することができ、効率的な製造が可能である。
【００３７】
（１）〜（５）の手順で製造された温室用合成樹脂シート１は、シート本体１０と紐体１１と接着シート１２の重なった部分が溶着して一体化する（図２参照）ので、紐体１１が切れるか、または、シート本体１０が破れるかする程の力が加わらない限り、これらが外れない程度の強度を備えている。
【００３８】
また、予めシート本体１０へ紐体１１が取り付けられた状態となるので、従前行われていた取付作業においてハトメなどに紐を通す作業、或いは取付作業を行うまでに、あらかじめ紐を通しておく作業（図７参照）が不要となる。
【００３９】
（温室用合成樹脂シート１の取り付け方法、温室用合成樹脂シート１を用いた温室）
温室用合成樹脂シート１の取り付け方法について説明する。
温室は、金属管である複数の温室フレームＦと、温室用合成樹脂シート１により構成される。
温室用合成樹脂シート１は、各紐体１１を温室フレームＦに結い付けることで取り付けられ（図５（ａ）参照）、温室用合成樹脂シート１を複数枚取り付けることで、温室（農業用ビニールハウス。図示省略。参考として図７）が完成する。
【００４０】
なお、農業用ビニールハウスのようなものについては、側面に位置する部分のシート（以下「側面シート」と称する）は空気の入れ換え等のために開けたり外したりすることもあるため、温室フレームＦから容易に取り外すこともできる温室用合成樹脂シート１が好適に使用される。
【００４１】
〔温室用合成樹脂シート１の変形例〕
図３（ａ）〜（ｄ）には、紐体の変形例を示している。以下で説明する各紐体の構成は、いずれも結い付けの際の滑り止め効果を高めるために付されたものである。
なお、シート本体１０と接着シート１２については、第１実施形態の温室用合成樹脂シート１と同様の構成であるため、説明を省略し、同一の符号を付している。
【００４２】
図３（ａ−１）に示す紐体１１ａは、紐体１１ａの表面に、紐体１１ａの長手方向と平行となる複数の凸条が形成されたものであり、（ａ−２）に示すように凹凸が横方向に連続する形態である。なお、本変形例において、紐体１１ａは、一方の面に四本の条部が幅方向に等間隔で平行に並設されている形態であるが、これに限定するものではなく、例えば、凸条の本数は上記本数に限定されず、また、複数の凸条が紐体の長手方向と交差する方向に形成されたようなものであってもよい。
【００４３】
図３（ｂ）に示す紐体１１ｂは、紐体１１ｂの長手方向に対して同一方向に斜めの凸条（符号省略）が形成されたものである。なお、本変形例では、図３（ｂ）において、右上から左下方向へ下るように複数の斜めの凸条が形成され、かつ、各凸条が平行となっているが、これに限定するものではなく、左上から右下方向へ下るように複数の斜めの凸条が形成されたものであってもよいし、各凸条は必ずしも平行でなくともよい。
【００４４】
図３（ｃ）に示す紐体１１ｃは、紐体１１ｃの長手方向に対して異なる方向から斜めに交差する凸条が形成されたものであり、各凸条が網目状に交差している。
【００４５】
図３（ｄ）に示す紐体１１ｄは、紐体１１ｄ表面に多数の細かい粒状突起が形成されたものである。なお、本変形例では、粒状突起が紐体表面に形成されたものであるが、これに限定するものではなく、例えば、複数の窪み（ディンプル）が紐体表面に形成されたもの等であってもよい。
【００４６】
〔第２実施形態〕
本考案の第２実施形態である温室用合成樹脂シート１ａ、１ｂ、１ｃは、紐体が隣接する位置または重なる位置に配置されて２本を一組としたものが一単位となるものであるか、または、紐体が長さ方向の途中から分岐したものである点において、温室用合成樹脂シート１と相違している。本実施形態およびその変形例について、以下説明する。
【００４７】
（温室用合成樹脂シート１ａ）
図４（ａ）に示す温室用合成樹脂シート１ａは、所要の大きさの合成樹脂製のシート本体１０と、互いに近接する２本を１単位としている合成樹脂製の紐体１１０ａと、紐体１１０ａの基端部をシート本体１０との間に挟んで固定する帯状の合成樹脂製の接着シート１２とを備えている（図４（ａ）参照）。
【００４８】
紐体１１０ａは、シート本体１０の長手方向の上縁部に幅方向（図４（ａ）において左右方向）へ亘って、各々が間隔を空けて複数配置されている。
【００４９】
なお、紐体１１０ａも紐体１１と同様に熱溶融性を有しており、温室用合成樹脂シート１と同じく、シート本体１０と、紐体１１０ａと、接着シート１２とが重なった部分は、ヒートシール法により溶着している。
【００５０】
温室用合成樹脂シート１ａは、温室用合成樹脂シート１と同様の製造方法により形成され、シート本体１０と、紐体１１０ａと、接着シート１２とが重なった部分は、溶着して一体化するので、紐体１１０ａが切れるか、または、シート本体１０が破れるかする程の力が加わらない限り、これらが外れない程度の強度を備えている。また、予めシート本体１０へ紐体１１０ａが取り付けられた状態となるので、従前行われていたシートへの紐の取り付け作業が不要となる。
【００５１】
（温室用合成樹脂シート１ａの取り付け方法、温室用合成樹脂シート１ａを用いた温室）
温室用合成樹脂シート１ａの取り付け方法について説明する。
温室は、金属管である複数の温室フレームＦと、温室用合成樹脂シート１ａにより構成される。
【００５２】
温室用合成樹脂シート１ａは、各紐体１１０ａをそれぞれ異なる方向から温室フレームＦに回し掛け、各々を温室フレームＦの上方等で結ぶことで、各紐体１１０ａが温室フレームＦに結い付けられ（図５（ｂ）参照）、温室用合成樹脂シート１ａを複数枚取り付けることで、温室（農業用ビニールハウス。図示省略。参考として図７）が完成する。
【００５３】
なお、温室用合成樹脂シート１と同様に、温室用合成樹脂シート１ａが農業用ビニールハウスの側面シート等として好適に使用されることは言うまでも無い。
【００５４】
（温室用合成樹脂シート１ｂ）
図４（ｂ−１）および（ｂ−２）に示す温室用合成樹脂シート１ｂは、温室用合成樹脂シート１ａの変形例である。温室用合成樹脂シート１ｂは、その紐体として、２本を一組とした紐体が相互に重なる位置に配置されているもの（紐体１１０ｂ）を採用している。
【００５５】
（温室用合成樹脂シート１ｃ）
図４（ｃ）に示す温室用合成樹脂シート１ｃは、紐体が長さ方向の途中から分岐したもの（紐体１１０ｃ）であり、基端は１本である。
【００５６】
なお、温室用合成樹脂シート１ｂ、温室用合成樹脂シート１ｃについては、温室用合成樹脂シート１ａとその紐体以外の構成、製造方法および取り付け方法が同様であるため、説明を省略する。
【００５７】
〔第３実施形態〕
（温室用合成樹脂シート１ｄ）
本考案の第３実施形態である温室用合成樹脂シート１ｄは、紐体１１ａが、シート本体１０の長手方向の上縁部および下縁部の両方の幅方向へ亘って配置されている点において、温室用合成樹脂シート１と相違している。
上記構成を備えることにより、温室用合成樹脂シート１ｄは、各紐体１１ａを上下方向に位置する温室フレームＦのいずれにも結い付けることができる。
【００５８】
温室用合成樹脂シート１ｄは、温室用合成樹脂シート１と同様、ロータリーヒートシール機等を使用して形成する。この場合、ロータリーヒートシール機等の性能に応じて、温室用合成樹脂シート１ｄの上端側と下端側に分けて作業（紐体１１ａと接着シート１２をシート本体１０へ溶着させる）してもよいし、一度に上端側と下端側を処理してもよい。
【００５９】
本実施形態では、紐体１１ａは１本ずつ配置されているが、これに限定するものではなく、例えば、先に述べたような２本１組の紐体、または、分岐した紐体であってもよい。
【００６０】
本実施の形態においては、先に述べた紐体の取り付け箇所である「シート本体の外縁部近傍」として、「シート本体の上縁部」、「シート本体の下縁部」を挙げているが、これに限定するものではなく、例えば、シート本体の左右の縁部であってもよい。
【００６１】
本明細書及び本実用新案登録請求の範囲で使用している用語と表現は、あくまでも説明上のものであって、なんら限定的なものではなく、本明細書及び本実用新案登録請求の範囲の範囲に記述された特徴およびその一部と等価の用語や表現を除外する意図はない。また、本考案の技術思想の範囲内で、種々の変形態様が可能であるということは言うまでもない。
【符号の説明】
【００６２】
１、１ａ、１ｂ、１ｃ、１ｄ    温室用合成樹脂シート
１０    シート本体
１１、１１ａ    紐体
１１０ａ、１１０ｂ、１１０ｃ    紐体
１２    接着シート
９    ハトメ付き合成樹脂シート
９１    ハトメ
９２    紐
Ｆ    温室フレーム
【図１】
0003219370.tif 000003
【図２】
0003219370.tif 000004
【図３】
0003219370.tif 000005
【図４】
0003219370.tif 000006
【図５】
0003219370.tif 000007
【図６】
0003219370.tif 000008
【図７】
0003219370.tif 000009